【手続補正書】
【提出日】平成27年2月18日(2015.2.18)
【手続補正１】
【補正対象書類名】特許請求の範囲
【補正対象項目名】全文
【補正方法】変更
【補正の内容】
【特許請求の範囲】
【請求項１】
所定面に形成された１次像からの光束を撮影レンズに導光するアタッチメント光学系であって、前記アタッチメント光学系は、物体側から順に、負の屈折力の第１レンズ群と、正の屈折力の第２レンズ群からなり、前記第１レンズ群と、前記第２レンズ群の全部または一部とを光軸方向に移動させることで、前記所定面に形成された１次像を前記撮影レンズにより結像させるときの前記１次像の撮影範囲を変化させることが可能であり、前記１次像の撮影範囲の変化に際して前記第１レンズ群と前記第２レンズ群の間隔が変化し、
前記第１レンズ群と前記第２レンズ群の焦点距離を各々ｆ１、ｆ２とするとき、
０．３＜｜ｆ１｜／ｆ２＜０．８
なる条件式を満足することを特徴とするアタッチメント光学系。
【請求項２】
前記撮影レンズによる１次像の撮影範囲が広視野のときにおける、前記第１レンズ群の中で最も物体側のレンズ面から前記第２レンズ群の中で最も物体側のレンズ面までの距離をｄ１Ｌ、前記撮影レンズによる１次像の撮影範囲が狭視野のときにおける、前記第１レンズ群の中で最も物体側のレンズ面から前記第２レンズ群の中で最も物体側のレンズ面までの距離をｄ１Ｎとするとき、
０．２＜（ｄ１Ｎ−ｄ１Ｌ）／｜ｆ１｜＜０．８
なる条件式を満足することを特徴とする請求項１に記載のアタッチメント光学系。
【請求項３】
前記撮影レンズによる１次像の撮影範囲が狭視野のときにおける、前記第１レンズ群の中で最も物体側のレンズ面から前記所定面までの距離をｄ０Ｎとするとき、
０．０４＜ｄ０Ｎ／｜ｆ１｜＜０．１０
なる条件式を満足することを特徴とする請求項１又は２に記載のアタッチメント光学系。 
【請求項４】
前記第２レンズ群は、最も大きい空気間隔を隔てて、物体側から順に、負の屈折力の第１部分群、正の屈折力の第２部分群からなり、
前記第１部分群は、少なくとも１枚の負レンズと少なくとも１枚の正レンズを有することを特徴とする請求項１乃至３のいずれか１項に記載のアタッチメント光学系。
【請求項５】
前記第１部分群の焦点距離をｆ２１とするとき、
１．５＜ｆ２１／ｆ２＜５．０
なる条件式を満足することを特徴とする請求項４に記載のアタッチメント光学系。
【請求項６】
前記第２部分群の焦点距離をｆ２２とするとき、
０．５０＜ｆ２２／ｆ２＜０．９５
なる条件式を満足することを特徴とする請求項４又は５に記載のアタッチメント光学系。 
【請求項７】
被写体を前記所定面に結像させる結像レンズと、前記撮影レンズを有するカメラ本体と、請求項１乃至６のいずれか１項に記載のアタッチメント光学系とを有する撮像装置であって、
前記アタッチメント光学系は、前記結像レンズと前記カメラ本体との間に、前記カメラ本体に対して取り外し可能に装着され、
前記撮影レンズは、前記アタッチメント光学系からの光束を用いて前記１次像を撮像素子に再結像することを特徴とする撮像装置。
【請求項８】
前記撮像装置に含まれる光学系より生じる収差を、画像処理によって補正する補正手段を有することを特徴とする請求項７に記載の撮像装置。
【手続補正２】
【補正対象書類名】明細書
【補正対象項目名】００１１
【補正方法】変更
【補正の内容】
【００１１】
本発明のアタッチメント光学系は、所定面に形成された１次像からの光束を撮影レンズに導光するアタッチメント光学系であって、前記アタッチメント光学系は、物体側から順に、負の屈折力の第１レンズ群と、正の屈折力の第２レンズ群からなり、前記第１レンズ群と、前記第２レンズ群の全部または一部とを光軸方向に移動させることで、前記所定面に形成された１次像を前記撮影レンズにより結像させるときの前記１次像の撮影範囲を変化させることが可能であり、前記１次像の撮影範囲の変化に際して前記第１レンズ群と前記第２レンズ群の間隔が変化し、
前記第１レンズ群と前記第２レンズ群の焦点距離を各々ｆ１、ｆ２とするとき、
０．３＜｜ｆ１｜／ｆ２＜０．８
なる条件式を満足することを特徴としている。
【手続補正３】
【補正対象書類名】明細書
【補正対象項目名】００３５
【補正方法】変更
【補正の内容】
【００３５】
撮影レンズＺｍによる１次像の撮影範囲が広視野のときの第１レンズ群Ａｔ１の中で最も物体側のレンズ面から第２レンズ群Ａｔ２の中で最も物体側のレンズ面までの距離をｄ１Ｌとする。撮影レンズＺｍによる１次像の撮影範囲が狭視野のときの第１レンズ群Ａｔ１の中で最も物体側（所定面）のレンズ面から第２レンズ群Ａｔ２の中で最も物体側のレンズ面までの距離をｄ１Ｎとする。
【手続補正４】
【補正対象書類名】明細書
【補正対象項目名】００３６
【補正方法】変更
【補正の内容】
【００３６】
撮影レンズＺｍによる１次像の撮影範囲が狭視野における第１レンズ群Ａｔの中で最も物体側のレンズ面から、所定面までの距離をｄ０Ｎ（距離ｄ０Ｎの符号は正）とする。第２レンズ群Ａｔ２は最も大きい空気間隔を隔てて、物体側から像側へ順に負の屈折力の第１部分群Ａｔ２１、正の屈折力の第２部分群Ａｔ２２からなる。第１部分群Ａｔ２１の焦点距離をｆ２１とする。第２部分群Ａｔ２２の焦点距離をｆ２２とする。このとき次の諸条件のうち１以上を満足するのが良い。
【手続補正５】
【補正対象書類名】明細書
【補正対象項目名】００４１
【補正方法】変更
【補正の内容】
【００４１】
条件式（４）はアタッチメント光学系Ａｔの第２レンズ群Ａｔ２を構成する第１部分群Ａｔ２１の焦点距離と第２レンズ群Ａｔ２の焦点距離との比に関する。条件式（４）の上限を超えて第１部分群Ａｔ２１の焦点距離が長くなりすぎると倍率色収差が増大し、この補正が困難となる。一方で下限を超えて第１部分群Ａｔ２１の焦点距離が短くなりすぎると、第１部分群Ａｔ２１での軸外光線の入射高さが高くなりすぎ、撮影レンズに適したアタッチメント光学系の射出瞳距離を長く確保するのが困難となる。
【手続補正６】
【補正対象書類名】明細書
【補正対象項目名】００４２
【補正方法】変更
【補正の内容】
【００４２】
条件式（５）は、アタッチメント光学系Ａｔの第２レンズ群Ａｔ２を構成する第２部分群Ａｔ２２の焦点距離と第２レンズ群Ａｔ２の焦点距離との比に関する。条件式（５）の上限を超えて第２部分群Ａｔ２２の焦点距離が長くなりすぎると、撮影レンズに適したアタッチメント光学系の射出瞳距離を長く確保することが困難となる。一方で下限を超えて第２部分群Ａｔ２２の焦点距離が短くなると射出瞳距離を長く確保するのが容易となるが、像面湾曲が大きくなってくる。尚、好ましくは条件式の数値範囲を次の如く設定するのが良い。
【手続補正７】
【補正対象書類名】明細書
【補正対象項目名】００４５
【補正方法】変更
【補正の内容】
【００４５】
第１部分群Ａｔ２１は少なくとも負の屈折力のレンズと正の屈折力のレンズをそれぞれ１つ以上有することが好ましい。これによれば第１部分群Ａｔ２１を色消しの構成とすることができて、撮影範囲の変化に伴う倍率色収差の変動の補正が容易となる。また第１部分群Ａｔ２１の像側に正の屈折力の第２部分群Ａｔ２２を配置することで、撮影レンズに適したアタッチメント光学系の射出瞳距離を長く確保することが容易となる。第２部分群Ａｔ２２は単一の正レンズよりなっている。
【手続補正８】
【補正対象書類名】明細書
【補正対象項目名】００４８
【補正方法】変更
【補正の内容】
【００４８】
次に各実施例のアタッチメント光学系Ａｔのレンズ構成について説明する。図１の実施例１では、アタッチメント光学系Ａｔを構成する負の屈折力の第１レンズ群Ａｔ１を矢印の如く光軸方向に移動させて、カメラ本体３０内の撮影レンズ３１で結像する拡散面２１上の撮影範囲を広視野から狭視野へと変化させている。そして第１レンズ群Ａｔ１より像側の全体として正の屈折力の第２レンズ群Ａｔ２を構成する最も物体側の負の屈折力の第１部分群Ａｔ２１を矢印の如く光軸方向に移動させることで撮影範囲の変化に伴う収差変動を補正している。そして撮影レンズ３１に適切な射出瞳距離を確保している。
【手続補正９】
【補正対象書類名】明細書
【補正対象項目名】００５０
【補正方法】変更
【補正の内容】
【００５０】
実施例３では、アタッチメント光学系Ａｔを構成する負の屈折力の第１レンズ群Ａｔ１を矢印の如く光軸方向に移動させて、カメラ本体３０内の撮影レンズ３１で結像する拡散面２１上の撮影範囲を広視野から狭視野へと変化させている。そして第１レンズ群Ａｔ１より像側の全体として正の屈折力の第２レンズ群Ａｔ２を構成する最も物体側の負の屈折力の第１部分群Ａｔ２１とその像側の正の屈折力の第２部分群Ａｔ２２を矢印の如く光軸方向に異なった軌跡で移動させる。これにより撮影範囲の変化に伴う収差変動を補正しつつ、撮影レンズ３１に適切な射出瞳距離を確保している。
【手続補正１０】
【補正対象書類名】明細書
【補正対象項目名】００５３
【補正方法】変更
【補正の内容】
【００５３】
さらに、各実施例の撮像装置においては、光学系より生じる収差を画像処理によって補正する補正手段を有している。これは、銀塩フィルムとは異なり、デジタルカメラなどでは画像をデジタルデータとして取得できるという特性を利用し、撮影レンズから得られた画像に対して画像変換処理を施し、諸収差を低減させた画像を得ている。収差補正には、電子歪曲収差補正や電子倍率色収差補正がある。電子歪曲収差補正では、ズーム位置、被写体距離、像高ごとに決められた量だけ画像の拡大または縮小を行うことにより歪曲収差を低減して、歪みの少ない画像を得ている。
【手続補正１１】
【補正対象書類名】明細書
【補正対象項目名】００６６
【補正方法】変更
【補正の内容】
【００６６】
Ａｔ  アタッチメント光学系      Ａｔ１  第１レンズ群      Ａｔ２  第２レンズ群
Ａｔ２１  第１部分群      Ａｔ２２  第２部分群
Ｚｍ  アタッチメント光学系を装着する撮影レンズ群
Ｚｍｆ  アタッチメント光学系を装着する撮影レンズ群のフォーカスレンズ群